(57)【要約】【課題】  イオン発生装置の針電極と周辺に付着した埃等を適切かつ容易に取り除くことができる清掃用具を提供する。【解決手段】  本発明の清掃用具は、ブラシ部を植毛した支持体と、薄肉中空で弾性を有する材料である本体とから構成された清掃用具であって、本体は、少なくとも一つの開口を有しており、支持体は、開口に抜き差し可能であって、本体内部へ空気を流通させるための貫通孔を有しており、ブラシ部は、本体内部に収納可能に配置させることを特徴としている。【選択図】  図４
2011239869.tif 000002
【特許請求の範囲】
【請求項１】
ブラシ部を植毛した支持体と、薄肉中空で弾性を有する材料である本体とから構成された清掃用具であって、
前記本体は、少なくとも一つの開口を有しており、
前記支持体は、前記開口に抜き差し可能であって、前記本体内部へ空気を流通させるための貫通孔を有しており、
前記ブラシ部は、本体内部に収納可能であることを特徴とする清掃用具。
【請求項２】
ブラシ部を植毛した複数の支持体と、薄肉中空で弾性を有する材料である本体とから構成された清掃用具であって、
前記本体は、複数の開口を有しており、
前記複数の支持体の一は、前記開口に抜き差し可能であって、前記本体内部へ空気を流通させるための貫通孔を有しており、
前記複数の支持体の他は、前記開口に抜き差し可能であって、前記本体内部へ空気を流通させるための貫通孔を有さず、
前記ブラシ部は、本体内部に収納可能であることを特徴とする清掃用具。
【請求項３】
前記清掃用具は、一の前記ブラシ部のブラシ毛の太さを、他の前記ブラシ部の前記ブラシ毛の太さより太くしたことを特徴とする請求項２に記載の清掃用具。
【請求項４】
前記清掃用具は、イオン発生機またはイオン発生装置を使用した電気機器に用いることを特徴とする請求項１から請求項３までのいずれか１項に記載の清掃用具。
【発明の詳細な説明】
【技術分野】
【０００１】
本発明は、電気機器等に使用する清掃用のブラシに関するものである。
【背景技術】
【０００２】
電気機器等に使用する清掃用のブラシとして、特許文献１には、キーの側面やキー間の溝にたまった埃をきれいに取除くことのできるパソコンのキーボード用清掃具が記載されている。
【０００３】
図７を参照して特許文献１を説明すると、前記キーボード用清掃用具２１０は、本体部２１１と、刷毛部２１２とを備えており、前記本体部２１１は、前記刷毛部２１２によって払い落された埃を吸引するための電動空気吸引機構を内蔵している。刷毛部２１２は、本体部２１１に取外し可能に装着された支持枠２１３と、支持枠に植付けられた多数の毛２１４で構成されている。
【先行技術文献】
【特許文献】
【０００４】
【特許文献１】実用新案登録第３００６３９２号公報
【発明の概要】
【発明が解決しようとする課題】
【０００５】
しかしながら、特許文献１のキーボード用清掃具にあっては、パソコンのキーボードに適したものであって、イオン発生装置を搭載したイオン発生装置または空気清浄機等において、イオン発生装置の針電極とその周囲を掃除するのに適当なものではなかった。具体的には、特許文献１の清掃用具である図７を見ても、イオン発生装置の電極等を清掃するには、刷毛部が大きくまたキーボードに適した形状であるばかりでなく、刷毛部が常時むき出しであり、吸引機構が必要であるなど、イオン発生装置の清掃には適当ではなかった。
【課題を解決するための手段】
【０００６】
本発明に係る清掃用具は、ブラシ部を植毛した支持体と、薄肉中空で弾性を有する材料である本体とから構成された清掃用具であって、前記本体は、少なくとも一つの開口を有しており、前記支持体は、前記開口に抜き差し可能であって、前記本体内部へ空気を流通させるための貫通孔を有しており、前記ブラシ部は、本体内部に収納可能であることを特徴とする。
【０００７】
また、本発明に係る清掃用具は、ブラシ部を植毛した複数の支持体と、薄肉中空で弾性を有する材料である本体とから構成された清掃用具であって、前記本体は、複数の（両側に）開口を有しており、前記複数の支持体の一は、前記開口に抜き差し可能であって、前記本体内部へ空気を流通させるための貫通孔を有しており、前記複数の支持体の他は、前記開口に抜き差し可能であって、前記本体内部へ空気を流通させるための貫通孔を有さず、前記ブラシ部は、本体内部に収納可能であることを特徴とする。
【発明の効果】
【０００８】
本発明の上記構成により、イオン発生装置の針電極と周辺に付着した埃等を適切にかつ簡便に取り除くことが可能である。また、不使用時には前記ブラシ部を本体内部に収納することによって不用意なブラシ毛の変形や、ブラシ部の損耗を防止することが出来る。
【図面の簡単な説明】
【０００９】
【図１】イオン発生素子の構成を示す斜視図である。
【図２】イオン発生装置のケースの底板の構成を示す概略平面図（イ）および図２（イ）のＶＩ−ＶＩ線に沿う概略断面図である。
【図３】イオン発生装置の機能ブロック図であり、各機能素子の電気的接続を示す図である。
【図４】本発明に係る清掃用具の側面図である。
【図５】清掃用具の平面図と一部の断面側面図である。
【図６】清掃用具の清掃時の動作図である。
【図７】従来のキーボード用清掃具の正面図である。
【発明を実施するための形態】
【００１０】
ここで、本願発明を適用するイオン発生装置の構造について説明する。
【００１１】
図１は、イオン発生装置を構成するイオン発生素子１０ａ, １０ｂを示す斜視図である。イオン発生素子１０ａ, １０ｂは、中央に位置する放電電極２とこれと所定距離を有する誘導電極１と支持基板３から構成される。イオン発生装置３０は、２個のイオン発生素子１０ａ, １０ｂを有しており、それぞれが、コロナ放電等により正イオンおよび負イオンを生じさせるためのものである。
【００１２】
一例として、誘導電極１は、金属板からなっており、かつ放電電極２の個数に対応して平板部に設けられた複数の円形の電極貫通孔１ａを有している。イオンは、放電電極２と誘導電極１での電極貫通孔１ａ端面でのコロナ放電により生成される。そして、この電極貫通孔１ａは、イオン発生素子１０ａ, １０ｂから外部へイオンを放出させるための開口部である。誘導電極１の平板部は穴あき板金よりなっている。電極貫通孔１ａの大きさは一例として、直径で１０〜１５ｍｍであることが好ましい。この場合は、ブラシ部の外径は電極貫通孔１ａの大きさが直径で１０〜１５ｍｍであるので、ブラシ部を電極貫通孔１ａから内部に挿入するためにブラシ部の外径は電極貫通孔１ａより小さく形成されている。また、誘導電極１は、一例として、両端部に、金属板の一部を平板部に対して略直角に屈曲させた屈曲部１ｂを有している。支持基板３は、放電電極２を挿通させるための貫通孔（図示せず）と、屈曲部１ｂの挿入部分を挿通させるための基板貫通孔３ｂとを有している。
【００１３】
この例では、放電電極２は、直径が０．５ｍｍで長さが３ｍｍである。放電電極２は針状の先端を有している。針状の放電電極２は、支持基板３の貫通孔（図示せず）に挿入または圧入された状態で支持基板３に支持されている。
【００１４】
上記の正イオン発生用のイオン発生素子１０ａの放電電極２が正極の放電電極となり、イオン発生素子１０ａの誘導電極１とともに正イオン発生部（正極電極対）を構成している。また上記の負イオン発生用のイオン発生素子１０ｂの放電電極２が負極の放電電極となり、イオン発生素子１０ｂの誘導電極１とともに負イオン発生部（負極電極対）を構成している。
【００１５】
また、正か負のいずれかの同じ極性のイオンを発生させるための複数の放電電極２に対して共通の誘導電極１が設けられている。
【００１６】
次に、イオン発生装置の構成について説明する。
【００１７】
図２（イ）の平面図および図２（ロ）の断面図を用いて説明するが、図２（ロ）は、図２（イ）のＶＩ−ＶＩ線に沿う概略断面図である。図２に示すように、イオン発生装置３０の外装ケース２１には、イオン放出用の孔２１ｄが形成されている。このイオン放出用の孔２１ｄは、誘導電極１の電極貫通孔１ａの真上に配置されている。これにより放電電極２はイオン放出用の孔２１ｄおよび電極貫通孔１ａを介してイオン発生装置３０の外部から見える。
【００１８】
ここで、イオン発生機の一例について説明する。イオン発生機とは、イオン発生装置を搭載して、イオン発生素子１０ａ,１０ｂの電極貫通孔１ａから放出されたイオンを送風装置の送風によって、部屋に放出する電気機器である。イオン発生機において、送風装置の動作により室内の空気を、エアーフィルターを通してイオン発生機内に吸い込み、イオン発生装置３０で発生させたイオンを空気に含ませて室内等に放出している。送風装置の風上側のエアーフィルターに用いられているネットの網目の開口は、５０〜４００μｍ程度で、開口寸法以下の大きさの空気中の微細な埃や物質は除去できず、通過して電極貫通孔１ａから内部に入り、電極の周辺部や支持基板３等に溜まる。
【００１９】
イオン発生機を運転して、エアーフィルターを通過した微細な埃や物質は、イオン発生素子１０ａ, １０ｂを通過する際に静電気により、放電電極２に吸着したり、析出したりして異物となって放電電極２に付着することにより、イオンの発生が減少や停止することになる。したがい、イオンを安定して長期間放出させるためには、特に放電電極２に付着、または析出した異物を除去する必要がある。
【００２０】
図２（ロ）のように、電極貫通孔１aからイオン発生素子１０ａ，１０ｂ内部に入った埃等は、ブラシを電極貫通孔１ａから入れて除去する必要があり、支持基板３上の埃等を清掃用具で吸い込むことで、除去できる。あるいは、支持基板３上の埃等を清掃用具で吹き飛ばすことで、除去できる。
【００２１】
次に、各機能素子の電気的接続の状態について説明する。
【００２２】
図３は、イオン発生装置３０の電気的接続を示す機能ブロック図の一例である。イオン発生装置３０は、外装ケース２１と、イオン発生素子１０ａ, １０ｂと、高圧トランス１１と、高電圧回路１２ａ、１２ｂと、電源入力コネクタ２２と、電源回路２３とで構成されている。なお、電源入力コネクタ２２は一部が外装ケース２１内に配置されており、また他の一部が外装ケース２１の外部に露出しており、外部から電源をコネクタ接続できる構造となっている。
【００２３】
この電源入力コネクタ２２は、入力電源の供給を受ける部分であり、電源回路２３に電気的に接続されている。この電源回路２３は高圧トランス１１の一次側に電気的に接続されている。この高圧トランス１１は、一次側に入力された電圧を昇圧して二次側に出力するためのものである。高圧トランス１１の二次側の一方はイオン発生素子１０ａ, １０ｂの誘導電極１に電気的に接続されている。また高圧トランス１１の二次側の他方は、正の高電圧回路１２ａを通じて正イオン発生用のイオン発生素子１０ａの正極の放電電極２に電気的に接続されるとともに、負の高電圧回路１２ｂを通じて負イオン発生用のイオン発生素子１０ｂの負極の放電電極２に電気的に接続されている。
【００２４】
正の高電圧回路１２ａは、正極の放電電極２には誘導電極１に対して正極性の高電圧を印加し、負の高電圧回路１２ｂは、負極の放電電極２には誘導電極１に対して負極性の高電圧を印加するよう構成されている。これにより、正と負の２極性のイオンを発生させることができる。
【実施例】
【００２５】
以下、本発明の清掃用具の実施例を図面に基づいて説明する。
【００２６】
図４は本発明に係る清掃用具の側面図である。図４（イ）は側面図、図４（ロ）はブラシ部を本体１０１に取り付けた場合の断面側面図、図４（ハ）はブラシ部を本体１０１に収納した場合の断面側面図である。
【００２７】
本体１０１は、その両端に支持体１２０，１２１を取り付け可能に構成されており、軟質の弾性を有する樹脂材料で形成された薄肉中空構造であり、中央部の外径が本体１０１両端の外径よりも太く、樽型に形成されており、したがってその断面は両端と中央部で円弧状になる。本体１０１は中央部を内側に押すような押圧力を加えると内側に凹み、押圧力を除くと弾性により元の形状に戻るように形成されている。本体１０１の両端は、支持体１２０, １２１を取り付け可能な開口がある。
【００２８】
本体１０１の一方の端に取り付けられた支持体１２０は、ベース部１２２ａ、フランジ部１２３ａ、ヘッド部１２４ａと貫通孔１２５aから構成されている。ベース部１２２ａには、複数のブラシ毛１１０ａを貫通孔１２５aの周囲に環状に配置して、ベース部１２２ａに植毛されている。形成されたブラシ毛１１０aのリング状の集合体であるブラシ部１１１を有するベース部１２２ａ、フランジ部１２３ａとヘッド部１２４ａから構成されている。ベース部１２２ａ、フランジ部１２３ａおよびヘッド部１２４ａの中心側には、ブラシ部１１１の隙間を通して本体１０１内部へ空気を流通させるための貫通孔１２５aが設けられており、ヘッド部１２４ａの本体１０１挿入部の外径は、本体１０１の内径より小さい外径で形成されている。支持体１２０は、本体１０１から引き抜くことができ、本体１０１の端部の端面に支持体のフランジ部１２３ａが当接し止まる。
【００２９】
本体１０１の他方の端に取り付けられた支持体１２１は、支持体１２０とは同じ構成であるが、貫通孔のみが無い。なお、支持体１２１に取り付けられたブラシ毛１１０ｂとブラシ部１１２は、材料、寸法、配列等をブラシ毛１１０ａとブラシ部１１１とは異なるものとしてもよい。
【００３０】
図４（ハ）は、ブラシ部を本体１０１に収納した場合の断面側面図である。
図４（ハ）の状態は、図４（ロ）の状態から、支持体１２０を、本体１０１から引き抜き、ブラシ部１１１を逆向きにして挿入したものである。支持体１２０のフランジ部１２３ａ、すなわち支持体１２０の側面から外側に出っ張った部分が、本体１０１の端部の端面に当接して止まる。他方の支持体１２１についても支持体１２０と同様である。ブラシ部を使用しない時は、本体１０１に取り付けられた２つのブラシ部１１１，１１２を、ブラシ側から本体１０１に挿入し取り付けることで、ブラシ部が本体１０１内の中空部分に収納され、ブラシ部を埃等からの保護や物との接触による変形等の防止をすることができる。
【００３１】
なお、上述ではブラシ部１１１は、ブラシ毛１１０aを環状に配置して形成されているが、貫通孔１２５aの周囲に矩形状、三角形状、コの字状や２辺向かい合わせ、渦状や放射状等に配置、これらの組合せの配置、あるいはランダムな配置としてもよい。
【００３２】
なお、清掃用具１００は、上述ではブラシ部１１２を有する形状であるが、ブラシ部１１２を有しない、本体１０１のブラシ部１１２側の開口部を密閉した形状でもよい。構造としては、支持体１２1のフランジ部１２３ｂを本体１０１と同じ材料で、形成してもよい。あるいは、ブラシ部を有しない支持体１２１、または蓋等で塞いで、密閉させてもよい。
【００３３】
図５（イ）は本発明の清掃用具の平面図と図５（ロ）は本発明の清掃用具の一部の断面側面図である。
ブラシ部１１１と支持体１２０については、ブラシ部１１１の隙間を通して本体１０１内部へ空気を流通させるための貫通孔１２５aを支持体１２０の中心部に設け、ベース部の入り口の貫通孔１２５aの周囲に環状にブラシ毛１１０aを配置されている。ブラシ毛１１０aはベース部１２２ａ端面の貫通孔１２５aの開口部の周囲に環状に複数個、配置植毛されている。貫通孔１２５aの外径は、概略３ｍｍであるが、ブラシ部の内径等により、適宜変更される。
【００３４】
ブラシ毛１１０ａ, １１０ｂの材料はナイロンが好ましく、毛の直径は０．２ｍｍが好ましい。ブラシ部１１１のブラシ毛１１０aを太いブラシ毛で、柔軟性のある材料で形成している。ブラシ部１１２のブラシ毛１１０ｂはブラシ部１１１のものよりも細いブラシ毛で、柔軟性のある材料で形成されている。ブラシ部１１１および、ブラシ部１１２の外径は、図２（イ）での電極貫通孔１ａの開口から中に入るようにするため、９．５ｍｍ以下であることが好ましい。ブラシ部１１１の内径は、貫通孔１２５aの外径より大きい必要があり、５ｍｍ以上であることが好ましい。ブラシ部１１１および、ブラシ部１１２のブラシ毛１１０ｂのベース部１２２ｂ表面から先端までの長さは、外装ケース２１の開口から内部の支持基板３の隅まで届くようにするため、１０ｍｍ以上であることが好ましい。ブラシ部１１２のブラシ毛１１０ｂのベース部１２２ｂ表面から先端までの長さは、ブラシ部１１１の長さと同等でなく、長短をつけてもよい。
【００３５】
なお、ブラシ部の外径は電極貫通孔１ａの外径によって適宜好ましい外径に変わるものとする。なお、ブラシ部１１１および、ブラシ部１１２のブラシ毛１１０ｂの長さは、外装ケース２１の開口から内部の支持基板３までの距離によって適宜好ましい長さに変わるものとする。なお、上述では、ブラシ毛の材料はナイロンとしたが、ポリプロピレン等の樹脂材料、竹などの植物繊維や動物の毛等でもよい。
【００３６】
なお、上述の図２においては、電極貫通孔１ａの外側に樹脂性の外装ケース２１でカバーされ、誘導電極１に直接手が触れないようにした場合、外装ケース２１の開口径は６．５ｍｍの場合がある。ブラシ部１１１および、ブラシ部１１２の外径は、外装ケース２１の開口から中に入るようにするため、この場合は外装ケース２１の開口径より小さく形成され６ｍｍ以下であることが好ましい。
【００３７】
図６は、清掃用具の清掃時の動作図である。
本体１０１の他方の端に取り付けられたブラシ部１１２は、一方の端に取り付けられたブラシ部１１１と同じ構成・形状であるが、貫通孔１２５aを有しない形状になっていることで、本体１０１中央部を強く押さえると、ヘッド部１２４ａの貫通孔１２５aを通してブラシ部１１１から空気が噴出するため、機器に付着した粉塵や異物を吹き飛ばし除去することができる。
【００３８】
また、本体１０１の両端に取り付けられたブラシの太さを、一方を太いブラシ毛の束で形成し、他方を一方よりも細いブラシ毛の束で形成することで、機器に付着した粉塵や異物の多少や大小や仕上げの程度や付着度合いなど、除去する条件に応じて使い分けることができる。
【００３９】
図６（イ）は電極清掃前の状態を示す図、図６（ロ）は電極清掃中を示す図、図６（ハ）は本体１０１の中央部を押して、異物を吹き飛ばして除去した状態を示す図、図６（ニ）は本体１０１の内部に異物を吸引して除去した状態を示す図である。
次に、電極の埃等の異物を除去している状態を、図６を用いて説明する。
【００４０】
図６（イ）に見られるように、放電電極２の外側に埃等が付着し、高圧電気がリークして放電状態が悪くなり放電電圧波形や放電電流波形が設計当初の形状から変化してしまう。また、イオン発生装置の近傍でヘアスプレー等を使用すると、放電電極２にはヘアスプレー等に含まれているシリコン等の異物が付着して、絶縁皮膜が形成されてしまい放電状態が悪くなる。放電電極２に掛かる電圧は回路によって決定されているため、電圧波形や電流波形が変化すると設計当初の放電エネルギーが供給されないことになり、その結果として設計当初のイオン数が得られなくなる。汚損が著しい場合は全く放電が起こらなくなる虞もある。
【００４１】
この場合には、図６（ロ）のように、ブラシ部１１１のブラシ毛１１０ｂの長手方向と放電電極２の長手方向とを略並行にして、左右方向Ｘあるいは上下方向Ｙに擦ることで、放電電極２に付着した埃等の異物がこすれて支持基板３上に落ちる。この後、支持基板３の底面が溜まった異物を排出できる開口を有している場合は、図６（ハ）のように本体１０１の中央部分を押し込んで、本体１０１内部の空気を貫通孔１２５aからブラシ部の先端部に噴出して、異物を吹き飛ばして除去する。逆に、図６（ニ）のようにブラシ部の先端部を底面につけて、本体１０１の中央部を押し込んだ後に、本体１０１の中央部の押圧力を除去すると、中央部は弾性により元の形状に戻ろうとし、貫通孔１２５aから本体１０１内部に空気が吸引され、同時に異物も吸引されて、除去される。貫通孔１２５aから本体１０１内部に入った異物は本体１０１の中央部分を押し込んで、本体１０１内部の空気を貫通孔１２５aからブラシ部の先端部に噴出して、ゴミ箱等の中に異物を吹き飛ばして捨てる。または本体１０１の両端のどちらかの支持体を本体１０１から引き抜いて、内部に溜まっている異物をゴミ箱等の中に捨てる。
【００４２】
なお、実施例では、本体１０１は軟質の弾性を有する樹脂材料であるが、材料は弾性を有するゴム等でもよい。
【００４３】
また、この実施例では、本体１０１は、両端と中央部で断面円弧状に形成されているが直線でもよい。実施例では、本体１０１の長手方向の断面は円形であるが、矩形や多角形でもよい。
【００４４】
なお、支持体１２１に支持体１２０を用いて、貫通孔１２５aのみを爪楊枝のような先端が円錐状のもので、塞ぐようにしてもよい。この場合、本体１０１のどちらかのブラシ部の貫通孔を塞ぐことで、ブラシ部の構造が違うようにすることで、ブラシ部１１２でもブラシ部１１１と同様に、異物の吹き飛ばしや吸引が可能となり、多様な掃除対応が可能となり、効率的に掃除ができる。
【００４５】
なお、ブラシ部を植毛した支持体は、交換可能として、ブラシ毛の配列や毛の径、長さ、量、柔軟性等は使用用途に応じて取替えて使用することにしてもよい。
【００４６】
なお本実施の形態においては、電気機器の一例としてイオン発生機について説明したが、本発明はこれに限定されるものではなく、これ以外にイオン発生装置を搭載した空気清浄機、空気調和機（エアコンディショナー）、冷蔵機器、掃除機、加湿器、除湿機などであってもよく、イオンを気流に乗せて送るためのイオン発生装置を有する電気機器であればよい。本発明の清掃用具は、イオン発生素子にかぎらずイオン発生装置全般に適用可能である。また、イオン発生素子は本実施例で説明した針電極方式に限らず使用可能である。
【００４７】
以上で説明した実施形態はあくまで本発明を実施するに当たっての一例であり、本発明はそれらに限定されるものではない。上述した実施形態に開示された技術的手段に周知慣用技術を適宜組み合わせて得られる態様についても本発明の技術的範囲に含まれる。
【産業上の利用可能性】
【００４８】
本発明は、針状の電極をケース内部に配置したイオン発生装置を備えた電気機器の清掃に特に有利に適用され得る。
【符号の説明】
【００４９】
１  誘導電極
１ａ  電極貫通孔
２  放電電極
３  支持基板
１０ａ，１０ｂ  イオン発生素子
３０  イオン発生装置
１００  清掃用具
１０１  本体
１１０ａ, １１０ｂ  ブラシ毛
１１１, １１２  ブラシ部
１２０, １２１  支持体
１２２ａ, １２２ｂ  ベース部
１２３ａ, １２３ｂ  フランジ部
１２４ａ, １２４ｂ  ヘッド部
１２５a  貫通孔
【図１】
2011239869.tif 000003
【図２】
2011239869.tif 000004
【図３】
2011239869.tif 000005
【図４】
2011239869.tif 000006
【図５】
2011239869.tif 000007
【図６】
2011239869.tif 000008
【図７】
2011239869.tif 000009